(57)【特許請求の範囲】
【請求項１】
上下枠と左右縦枠とで形成した枠体内をスライド移動自在に設けた引戸障子に揺動自在な開き扉を併設した開き扉付き引戸であって、前記引戸障子は、上下フレームと左右フレームとで矩形状に形成した囲繞空間に開き扉を縦軸廻りに開閉揺動自在に支承すると共に、該開き扉下端面に対向する前記下フレームの部位は前記下枠内に内設されており、
前記下フレームは、水平片と垂直片とで断面略Ｔ字状に形成し、垂直片の先端側が下枠内に嵌入して移動案内されるよう構成すると共に、前記開き扉下端面に対向する部位は下枠から突出する部分を切除して下枠内に内設されていることを特徴とする開き扉付き引戸。
【発明の詳細な説明】
【技術分野】
【０００１】
本発明は、建物開口部を仕切る引戸障子に開き扉を設けた開き扉付き引戸の技術分野に属するものである。
【背景技術】
【０００２】
従来、建物開口部にスライド移動可能に構成した引戸障子に人が通行可能な空間部を設け該空間部に扉体を縦軸廻りに開閉揺動自在に支承した開き扉を併設して建物開口部が引戸障子で閉鎖された状態であっても該引戸障子を開放することなく開き扉を開閉することによって開口部を通過することができるようにしたものが提唱されている。
【０００３】
このようなものとしては、建物開口部を開閉する扉体を、四周を囲繞する周枠と該周枠に収められるスイング扉とで構成したものがある。（特許文献１）
また、上下のレール間を走行自在なパネルを、逆Ｌ字状の枠体の縦枠部に扉体の一側端部を回動自在に取り付けたものとし、前記扉体を開いても出入りすることができるようにしたものもある。（特許文献２）
【特許文献１】実開平１−１５０７９３号公報
【特許文献２】特開平２−２５２８７６号公報
【発明の開示】
【発明が解決しようとする課題】
【０００４】
ところが、上記特許文献１のものは、扉体自体が周枠で構成されているので該扉体が剛性を有し、スイング扉の回動も安定して行うことができる反面、スイング扉を開放して通行する場合においては周枠の下枠部に足を引っ掛けたりするばかりか、車椅子による通行の妨げになってしまう可能性もある。
また、上記特許文献２のものは通行するうえで上記したような支障はないものの、扉体の一側端部を逆Ｌ字状の枠体の縦枠部に取り付けるものであるので逆Ｌ字状の枠体の剛性を確保するため大型の部材が必要となり結果的にその走行に大きな力を要するばかりか、パネル体全体の意匠性も芳しいものではなかった。
【課題を解決するための手段】
【０００５】
本発明は、叙述の如き実情に鑑みこれらの課題を解決することを目的として創作されたものであって、上下枠と左右縦枠とで形成した枠体内をスライド移動自在に設けた引戸障子に揺動自在な開き扉を併設した開き扉付き引戸であって、前記引戸障子は、上下フレームと左右フレームとで矩形状に形成した囲繞空間に開き扉を縦軸廻りに開閉揺動自在に支承すると共に、該開き扉下端面に対向する前記下フレームの部位は前記下枠内に内設されており、前記下フレームは、水平片と垂直片とで断面略Ｔ字状に形成し、垂直片の先端側が下枠内に嵌入して移動案内されるよう構成すると共に、前記開き扉下端面に対向する部位は下枠から突出する部分を切除して下枠内に内設されていることを特徴とするものである。
【発明の効果】
【０００６】
請求項１の発明とすることにより、引戸障子が剛性を有するので該引戸障子のスライド動作と引戸障子に設けられる扉体の開閉動作を安定的に行うことができるばかりでなく、扉体を開閉して通行する場合においても前記下フレームが下枠から上方に突出しないので足を引っ掛けたりすることなく安全性を確保でき、また車椅子の通行にも支障がないものである。  
また、請求項２の発明により、下フレームの垂直片が障子の面外方向の振れを規制するので、障子を安定して軽快にスライド移動することができる。
【発明を実施するための最良の形態】
【０００７】
つぎに、本発明の実施の形態を図面に基づいて説明する。
図中１は、防火用自動閉鎖引戸であって、該防火用自動閉鎖引戸１は、上枠２，下枠３および左右の縦枠４，４とで矩形状に形成した枠体の左右いずれか一方の半部空間を区画する嵌殺し部５と他方の半部空間にスライド開閉自在に配した引戸障子６とで所詮上吊式片引き戸に構成されている。
詳説すると、上枠２は断面略門型に形成されその内部には、枠体の略開口幅寸法を有する長尺状のレール部材２ａが取り付けられている。一方、下枠３は、対向する垂直片３ａ，３ａとこれら垂直片３ａ，３ａの一端側同士を連結する水平片３ｂとで断面略コ字状に形成すると共に、引戸障子６の下端面に対向する前記水平片３ｂの部位には幅狭（後述する下フレーム８の垂直片８ｂの厚さより若干広い幅寸法）で深溝状の振れ止め溝３ｃが枠体の開口幅全長に亘って凹設されている。
また、引戸障子６の戸先側に位置する縦枠４は、見込み方向略中央に凹部４ａが縦方向に亘って凹設されている。
【０００８】
一方、引戸障子６は、上フレーム７，下フレーム８，戸先フレーム９および戸尻フレーム１０とで矩形状に枠組み形成されており、該引戸障子６の全閉時には戸尻フレーム１０と嵌殺し部５に立設した方立１３とが相じゃくり状に嵌合すると共に、戸先フレーム９は縦枠４の凹部４ａに嵌入してそれぞれ火煙の通過を阻止するようになっている。
【０００９】
引戸障子６の下フレーム８は、水平片８ａと垂直片８ｂとで断面略Ｔ字状に形成されており、水平片８ａの両端側上面に戸先フレーム９と戸尻フレーム１０とがそれぞれ載置固定されると共に、垂直片８ｂの先端側が下枠に凹設した振れ止め溝３ｃに嵌入することによって引戸障子６は前後方向への振れが規制された状態でスライド移動案内されるよう構成されている。
また垂直片８ｂは図６に示すように、扉体１１の下端面に対向する部分で下枠３の水平片３ｂから上方に突出する部位（図６に示す斜線部分）が切り欠かれており、従って引戸障子６を枠体に吊り込んだ状態で扉体１１の下端面に対向する垂直片８ｂが下枠３内に内装されてスライド移動するようになっている。
【００１０】
１１は、引戸障子６の囲繞空間内に設けられた扉体であって、該扉体１１は、上框１１ａ，下框１１ｂ，戸先框１１ｃ，吊元框１１ｄとで枠組み形成され内側にガラスＧが嵌込まれている。そして該扉体１１の吊元框１１ｄが引戸障子６の戸尻フレーム１０に丁番１２を介して縦軸廻りに開閉揺動自在に支承されている。
引戸障子６の上部にはＬ字状のブラケット６ｂにローラ６ｃが回転自在に軸支された２個の吊車６ａが適間隔を有して取り付けられており、該ローラ６ｃが上枠２に設けられたレール部材２ａ上を転動することで引戸障子６がスライドして開口部を開閉するように構成されている。
【００１１】
叙述のように構成した防火用自動閉鎖引戸１は、常時は引戸障子６が開放維持されており人が開口部を自由に通行可能になっているが、火災発生等の異常時には図示しない火煙検知器等からの信号を受けて引戸障子６は自動的に閉動作を開始して建物開口部を閉鎖するようになっている。そして、この状態において避難が遅れた人は引戸障子６の全閉状態で扉体１１を開放して避難することとなるが、とりわけ車椅子を必要とする人にとっては引戸障子６をスライドさせることなく扉体１１の戸先框１１ｃを押しやる（若しくは引き操作する）ことで扉体１１を開放して避難口を確保することができるばかりでなく、下枠３から引戸障子６の下フレーム８が上方に突出することがないので車椅子の通過に何ら支障がなく自力で避難することができる。
なお、本実施の形態においては防火用自動閉鎖引戸に適用した場合を説明したが一般用の引戸に適用してもよいことは言うまでもない。
【産業上の利用可能性】
【００１２】
本発明は、開き扉付き引戸に利用することができる。
【図面の簡単な説明】
【００１３】
【図１】本発明の開き扉付き引戸の正面図である。
【図２】図１のＡ−Ａ拡大断面図である。
【図３】図１のＢ−Ｂ拡大断面図である。
【図４】引戸障子の正面図である。
【図５】図２の下部を示す要部拡大図である。
【図６】（Ａ）下フレームの切り欠き状態を示す正面図である。（Ｂ）同上のＣ−Ｃ断面図である。
【符号の説明】
【００１４】
１    防火用自動閉鎖引戸
２    上枠
３    下枠
４    縦枠
６    引戸障子
７    上フレーム
８    下フレーム
９    戸先フレーム
１０    戸尻フレーム
１１    扉体
【図１】
0005173306.tif 000002
【図２】
0005173306.tif 000003
【図３】
0005173306.tif 000004
【図４】
0005173306.tif 000005
【図５】
0005173306.tif 000006
【図６】
0005173306.tif 000007